(57)【要約】【課題】  予め積層させた複数のタグを容易にホッパー部内へセットできるタグプリンタを提供すること。【解決手段】  立設された機枠壁面ａ２と、その機枠壁面ａ２から所要の間隔をおいて上下方向に延設された前部タグガイド１４及び後部タグガイド１３とを備えてホッパー部１を構成し、前部タグガイド１４を水平方向に開閉可能に設けてタグＷをホッパー部内へ水平方向からセット可能に構成すると共に、その開閉可能に設けられた前部タグガイド１４を閉状態に維持させる止着部１５を設ける。【選択図】        図１
2007076135.tif 000002
【特許請求の範囲】
【請求項１】
タグを上下方向に積層させて収納するホッパー部を備え、該ホッパー部に収納されたタグを印字部に供給し、該印字部で前記タグの表面に所定の印字データを印字するタグプリンタにおいて、
前記ホッパー部は、上下方向に延設され前記タグのコーナー部を抑える１又は複数個のタグガイドを備えると共に、少なくとも１つの前記タグガイドが開閉可能に設けられて、前記タグを前記ホッパー部内へ水平方向からセット可能に構成されていることを特徴とするタグプリンタ。
【請求項２】
前記ホッパー部は、立設された機枠壁面と、その機枠壁面から所要の間隔をおいて上下方向に延設された一対の前記タグガイドとを備えてなり、該機枠壁面と一方の該タグガイドとの間を前記タグの挿入側となすと共に、該挿入側の一方のタグガイドは、水平方向に向かって開閉可能に設けられてなることを特徴とする請求項１記載のタグプリンタ。
【請求項３】
開閉可能に設けられた前記タグガイドを閉状態に維持させる止着部を設けたことを特徴とする請求項１または２記載のタグプリンタ。
【請求項４】
前記タグは、その一辺に商品に括り付ける糸が設けられた糸付きタグであると共に、開閉可能に設けられた前記タグガイドは、その開閉可能に設けられた前記タグガイド側に該糸が設けられた辺側がセットされるように配置されていることを特徴とする請求項３記載のタグプリンタ。
【発明の詳細な説明】
【技術分野】
【０００１】
本発明は、バーコードや商品名などの印字データをタグに印字するタグプリンタに関する。
【背景技術】
【０００２】
従来から、バーコードや商品名などの印字データをタグに印字するタグプリンタがある。
この種のタグプリンタは、タグを上下方向に積層させて収納するホッパー部を備えており、多数枚に積層されたタグの下側からタグを順に繰り出し、印字部まで移送して一枚ずつ印字させるものである。
【０００３】
このようなタグプリンタにおける従来のホッパー部は、タグのコーナー部を抑えるタグガイド（ホッパー枠）が機枠から立設されてなり、予め積層させた複数のタグをタグガイド上方から挿入してホッパー部内にセットしていた。
【０００４】
【特許文献１】特開平７−２５７５３０号公報（第５頁、図３）
【発明の開示】
【発明が解決しようとする課題】
【０００５】
しかしながら、従来のタグプリンタは、上記したように、予め積層させた複数のタグをタグガイド上方から挿入してホッパー部内にセットしていたため、セットがしづらいといった問題点を有していた。
特にこの種のタグプリンタで印字されるタグは、商品に括り付ける糸が取り付けられており、この糸が邪魔してホッパー部内へのセットを面倒な作業にしていた。
【０００６】
そこで本発明は、このような状況に鑑みてなされたものであり、上記問題点を解決できるタグプリンタを提供することを目的とする。
【課題を解決するための手段】
【０００７】
上記技術課題を達成するために、本発明にかかるタグプリンタは、下記の技術的手段を講じた。
すなわち、請求項１にかかるタグプリンタは、タグを上下方向に積層させて収納するホッパー部を備え、該ホッパー部に収納されたタグを印字部に供給し、該印字部で前記タグの表面に所定の印字データを印字するタグプリンタにおいて、前記ホッパー部は、上下方向に延設され前記タグのコーナー部を抑える１又は複数個のタグガイドを備えると共に、少なくとも１つの前記タグガイドが開閉可能に設けられて、前記タグを前記ホッパー部内へ水平方向からセット可能に構成されていることを特徴とする。
請求項２にかかるタグプリンタは、請求項１において、前記ホッパー部は、立設された機枠壁面と、その機枠壁面から所要の間隔をおいて上下方向に延設された一対の前記タグガイドとを備えてなり、該機枠壁面と一方の該タグガイドとの間を前記タグの挿入側となすと共に、該挿入側の一方のタグガイドは、水平方向に向かって開閉可能に設けられてなることを特徴とする。
請求項３にかかるタグプリンタは、請求項１または２において、開閉可能に設けられた前記タグガイドを閉状態に維持させる止着部を設けたことを特徴とする。
請求項４にかかるタグプリンタは、請求項３において、前記タグは、その一辺に商品に括り付ける糸が設けられた糸付きタグであると共に、開閉可能に設けられた前記タグガイドは、その開閉可能に設けられた前記タグガイド側に該糸が設けられた辺側がセットされるように配置されていることを特徴とする。
【発明の効果】
【０００８】
本発明によれば、タグのコーナー部を抑える１又は複数個のタグガイドのうち、少なくとも１つのタグガイドが開閉可能に設けられて、タグを水平方向からセット可能に構成したから、仮に商品に括り付ける糸が取り付けられたタグをセットする場合でも、容易にホッパー部内へセットすることができる。
【発明を実施するための最良の形態】
【０００９】
次に、本発明にかかるタグプリンタの実施の形態を説明する。
本実施の形態にかかるタグプリンタＡは、バーコードや商品名などの印字データをタグＷに印字するのに好適なもので、図１に示すように、その主要構成として、タグＷを上下方向に積層させた状態で収納するホッパー部１と、そのホッパー部１に隣接して設けられ、印字データに基づいて一枚ずつ印字する印字部２と、ホッパー部１と印字部２との底面側に設けられ、ホッパー部１に積層されたタグＷの下側から一枚のタグＷを吸着保持して印字部２へ順に繰り出す移送部３とを備えて構成されている。なお、ホッパー部１以外は周知構造であるため、以下、本発明の要部であるホッパー部１について詳述する。
【００１０】
ホッパー部１は、図１に示すように、印字部２を構成する駆動部２１を被装した略箱状の機枠ａ１の壁面ａ２と、タグガイド部１１とを備えて構成されている。
【００１１】
タグガイド部１１は、移動部１２と、後部タグガイド１３と、前部タグガイド１４と、止着部１５とを備えて構成されている。
【００１２】
移動部１２は、タグプリンタＡの下側機枠ａ３上面にＹ方向に向かって敷設されたリニアレール１２１と、略箱状のケース１２２と、そのリニアレール１２１とスライド可能に係合され該ケース１２２の下部に設けられたリニアガイド（図示せず）と、ケース１２２内部にＸ方向に架設されたリニアレール（図示せず）と、そのリニアレールにスライド可能に係合されると共に後述する後部タグガイド１３が止着されたリニアガイド（図示せず）とを備えて構成されている。
【００１３】
このように構成された移動部１２は、略箱状のケース１２２全体がＹ方向に向かって移動可能なっていると共に、後部タグガイド１３が、略箱状のケース１２２に対しＸ方向に向かって移動可能なっており、セットするタグＷの大きさに応じて、後部タグガイド１３の位置調整を行えるようになっている。
【００１４】
後部タグガイド１３は、平面視略Ｌ字状の棒状部材であり、Ｘ方向に架設されたリニアレールにスライド可能に係合されたリニアガイドに、後部タグガイド１３のコーナー部が外側となるように止着されて、ケース１２２上面から突出するように立設されている。
【００１５】
前部タグガイド１４は、図１及び図２に示すように、帯板状の固定側プレート１４１と、平面視略Ｔ字状に形成された帯板状の可動側プレート１４２とが蝶番１４３を介して接続されてなり、固定側プレート１４１がケース１２２前壁面に立設するように止着されて、可動側プレート１４２が水平方向に向かって開閉可能になっている。
【００１６】
また、この前部タグガイド１４は、図２に示すように、可動側プレート１４２の固定側プレート１４１寄りの張出部１４ａが、ケース１２２前壁面と当接して、前部タグガイド１４の閉角度が規制されている。
【００１７】
なお、本実施の形態にかかるタグプリンタＡは、一辺に商品に括り付ける糸ｗ１が設けられた糸付きタグＷが使用可能であり、糸ｗ１が絡まないように、印字部２及び移送部３夫々の手前側が最適化されている。
【００１８】
止着部１５は、図２及び図３に示すように、略Ｌ字状に形成された金具本体１５１の立外壁面にマグネット１５２が貼着されてなり、ケース１２２前壁面と面一となるようにケース１２２前上面に止着されている。このマグネット１５２に、閉状態の前部タグガイド１４の裏面が吸着されることにより、前部タグガイド１４の閉状態が維持されるようになっている。
【００１９】
なお、本実施の形態では、前部タグガイド１４を磁性体で構成していることを前提としているが、前部タグガイド１４を非磁性体で構成した場合、シート状の磁性体を貼着すればよい。
【００２０】
次に、以上のように構成された本実施の形態にかかるタグプリンタＡにおけるタグＷの装填方法について説明する。
【００２１】
まず、タグプリンタＡの図示しない上側機枠（上部カバー）を取り外し、ホッパー部１を露出する（図１参照）。そしてタグＷの大きさによって後部タグガイド１３の位置（X方向）と、ケース１２２の位置（Y方向）とを調整する。
【００２２】
次に、マグネット１５２に吸着された閉状態の前部タグガイド１４の可動側プレート１４２を手前に開く。そして、例えば、予め積層させた糸付きタグＷをセットする場合、糸ｗ１が手前側となるように、かつ、後部タグガイド１３に糸付きタグＷの先側コーナー部が当接するまで、ホッパー部１へ水平方向に移動し、ホッパー部１内にセットする（図４参照）。
【００２３】
そして、前部タグガイド１４がマグネット１５２に吸着するまで閉じ、図示しないタグプリンタＡの上側機枠（上部カバー）を取り付けることにより、一連のセット作業が終了する。
【００２４】
以上、本実施の形態にかかるタグプリンタを説明したが、上述した実施の形態は、本発明の好適な実施の形態の一例を示すものであり、本発明はそれに限定されるものではなく、その要旨を逸脱しない範囲内において、種々変形実施が可能である。
【００２５】
例えば、本実施の形態では、前部タグガイドを移動部のケースに設けているが、印字部を構成する駆動部を被装した略箱状の機枠の壁面に設けたり、あるいは、独立して立設させても良い。また、ホッパー部を、タグのコーナー部を抑える２〜４のタグガイドで構成し、そのうちの１〜２程度のタグガイドを開閉可能にして、タグをホッパー部内へ水平方向からセットするようにしても良い。
【図面の簡単な説明】
【００２６】
【図１】上側機枠（上部カバー）を取り外した状態の本実施の形態にかかるタグプリンタの斜視図である。
【図２】要部の部分平面図である。
【図３】要部の部分正面図である。
【図４】前部タグガイドを開いた状態の本実施の形態にかかるタグプリンタの部分斜視図である。
【符号の説明】
【００２７】
Ａ  タグプリンタ
ａ１  機枠
ａ２  壁面
ａ３  下側機枠
１  ホッパー部
１１  タグガイド部
１２  移動部
１２１  リニアレール
１２２  ケース
１３  後部タグガイド
１４  前部タグガイド
１４１  固定側プレート
１４２  可動側プレート
１４３  蝶番
１５  止着部
１５１  金具本体
１５２  マグネット
２  印字部
２１  駆動部
３  移送部
Ｗ  タグ
ｗ１  糸
【図１】
2007076135.tif 000003
【図２】
2007076135.tif 000004
【図３】
2007076135.tif 000005
【図４】
2007076135.tif 000006